(57)【要約】【課題】構成が簡単で、製造コストを安価に抑えることができ、さらに、確実に旗部材に取り付けることができる旗用錘及びこの旗用錘を取り付けた旗を提供すること。【解決手段】本発明の旗用錘Ａは、旗部材を挟持する一対の挟持部材１０、２０及びこれら挟持部材１０、２０を結合する結合部材３０を備えている。【選択図】　　　　　　図１
2004045532.tif 000002
【特許請求の範囲】
【請求項１】
竿状の支持部材に支持された旗部材に取り付けられる旗用錘であって、
旗部材を挟持する挟持面を備えた一対の挟持部材と、これら挟持部材の挟持面で旗部材を挟み込んだ状態に挟持部材を結合する結合部材と、を備えたことを特徴とする旗用錘。
【請求項２】
請求項１に記載の旗用錘を旗部材に取り付けた旗であって、
この旗部材の周縁に接着剤を塗布したことを特徴とする旗。
【発明の詳細な説明】
【０００１】
【産業上の利用分野】
本発明は、旗部材に取り付けられ、強風にあおられた場合の、旗部材が支持部材に沿ってずり上がったり、旗部材が支持部材への絡みつくことを防止することができる旗用錘及びこの旗用錘を取り付けた旗に関する。
【０００２】
【従来の技術】
従来、旗はその手軽さゆえに重要な広告用媒体として使用されている。このような旗は、強風にあおられた際には、図４（ａ）に示すように、旗部材１００が支持部材１１０に沿ってずり上がったり、同図（ｂ）に示すように、旗部材１００が支持部材１１０に絡みつく等して広告の機能を果たさないという問題があった。
【０００３】
上記問題点を解決するために、例えば、特開２００２―１１６７２３号公報には、金属製の錘本体部とそれに一体的に固定された左右一対のフックからなる舞い上がり防止具が開示されているが、この旗の舞い上がり防止具は、錘本体部以外に、錘本体部を帯状の連結部材に取り付けるための左右一対のフックが必要となり、製造コストが上昇するという問題があった。
【０００４】
また、上記公報には、一対の金属製の錘本体部と、それらを連結する連結部が一体的に鋳造成形され、一方の錘本体部の内側に係止部を有し、他方の錘本体部の内側にその係止部を収容する大きめの凹みが形成されている舞い上がり防止具が開示されており、使用時は、錘本体部の両側からペンチや指などで押して、本体部の凹み内に係止部を収容することにより、両錘本体部で旗を挟み付ける構成が開示されている。
【０００５】
しかしながら、上記のように構成された舞い上がり防止具は、錘本体部に係止部及び凹みを形成しなければならず、製造コストがかかるとともに、係止部が凹み内部に入ることにより錘本体部を固定する構成としているため、係止部と凹みのかみ合いが十分でない場合には、舞い上がり防止具を旗に確実に固定することができないおそれがあった。
【０００６】
本発明は、上記課題を解決するためになされたものであり、構成が簡単で、製造コストを安価に抑えることができ、さらに、確実に旗部材に取り付けることができる旗用錘及びこの旗用錘を取り付けた旗を提供することを目的とする。
【課題を解決するための手段】
【０００７】
上記目的を達成するために、請求項１の発明は、
竿状の支持部材に支持された旗部材に取り付けられる旗用錘であって、
旗部材を挟持する挟持面を備えた一対の挟持部材と、これら挟持部材の挟持面で旗部材を挟み込んだ状態に挟持部材を結合する結合部材と、を備えたことを特徴とする。
請求項２の発明は、
請求項１に記載の旗用錘を旗部材に取り付けた旗であって、
この旗部材の周縁に接着剤を塗布したことを特徴とする。
【０００８】
【作用】
請求項１の発明によれば、旗用錘の挟持部材の挟持面で旗部材が挟み込まれた状態で、すなわち、各挟持部材の挟持面が旗部材に面接触した状態で、結合部材により両挟持部材が結合される。
請求項２の発明によれば、旗部材の周縁が接着剤により補強される。
【０００９】
【発明の実施の形態】
以下に、本発明の旗用錘及び旗用錘を取り付けた旗の一例である幟旗について、図１〜３を用いて詳細に説明する。
図１は、本発明の旗用錘Ａの断面図である。同図に示すように、この旗用錘Ａは、旗部材を挟持する一対の挟持部材１０、２０及びこれら挟持部材１０、２０を結合する結合部材３０を備えている。
【００１０】
挟持部材１０は、真鍮製で、半球状に形成されており、この円形の平面部分が後述する旗部材を挟持する挟持面１１を形成している。
また、この挟持部材１０には、結合部材３０としてのタッピングネジ（以下、単にタッピングネジ３０と呼ぶ）を挿通するための挿通孔１２が形成されている。
この挿通孔１２は、半球の挟持部材１０の中心線上で、挟持部材１０の頭頂部にかけて挟持面１１に対して垂直方向に貫通して形成されている。
【００１１】
ここで、上記挿通孔１２の球状面側の開口部には、タッピングネジ３０の頭部を受け入れるための受け入れ孔１３が形成されている。
この受け入れ孔１３は、上記挿通孔１２よりも一回り大きい寸法の円径を備え、タッピングネジ３０の頭部が、受け入れ孔１３の底部に係止される構成となっている。
【００１２】
挟持部材２０は、挟持部材１０と同寸法で、真鍮製の半球状に形成されており、この断面円形の平面部分が旗部材を挟持する挟持面２１を形成している。
また、この挟持部材２０には、タッピングネジ３０をねじ込むためのねじ込み孔２２が形成されている。
このねじ込み孔２２は、半球の挟持部材２０の中心線上で、挟持部材２０の頭頂部付近にかけて挟持面２１に対して垂直方向に形成されている。
【００１３】
ここで、上記ねじ込み孔２２は、上記挿通孔１２より一回り小さい寸法に形成されており、上述した挟持部材１０、２０のそれぞれの挟持面１１及び挟持面１２を互いに対向させた状態で接触させると、挿通孔１２及びねじ込み孔２２が連通して連通孔が形成される構成となっている。
なお、本実施形態においては、上記ねじ込み孔２２は、挟持部材２０を貫通して形成されているのではなく、その先端部は挟持部材２０内部に止まっている。
【００１４】
結合部材３０は、本実施形態においては、ステンレス製のタッピングネジが用いられており、各挟持部材の挟持面を対向させた状態で挟持部材１０、２０の挿通孔１２、ねじ込み孔２２を互いに連通させ、これにより形成される連通孔にタッピングネジ３０を挿通し、このタッピングネジ３０の先端部をねじ込み孔２２内にねじ込むことにより各挟持部材１０、２０を結合させる。
【００１５】
つぎに、上記のように構成された旗用錘Ａの使用方法について図２を用いて説明する。
なお、この旗用錘Ａは、同図に示すように、幟旗Ｂに取り付けられて使用されるため、以下に、まず、幟旗Ｂの構成について説明した後、本発明の旗用錘Ａが幟旗Ｂにいかに取り付けられているかについて説明する。
【００１６】
上記幟旗Ｂは、図２（ａ）に示すように、旗部材４０が竿状の支持部材５０に支持されている。
上記旗部材４０は、ほぼ矩形状に形成された旗本体４１と、この旗本体４１を支持部材５０に取り付けるリング状に形成された複数の連結部材４２〜４９とを備えている。
【００１７】
上記旗本体４１は、本実施形態においては、矩形状の旗本体４１の下部及び連結部材４５〜４９が設けられていない側の側端部の周縁４１ａに、例えば、有機溶剤に合成樹脂を混ぜた接着剤が塗布されており、この接着剤が乾燥して、旗の織り目がほつれることを防止する。
なお、上記合成樹脂としては、例えば、塩化ビニル樹脂やスチロール樹脂等が挙げられる。
【００１８】
図３（ａ）、（ｂ）は、連結部材４９の正面図及び平面図をそれぞれ示している。
まず、連結部材４９は、同図に示すように、帯状部材の長手方向両端部が縫い合わされてリング形状に形成され、帯状部材の縫い目部４９ａには、旗用錘Ａを取り付けるための取り付け孔４９ｂが設けられている。
また、各連結部材４２〜４８は、旗用錘Ａを取り付けるための取り付け孔が設けられていない以外は、上記連結部材４９と同様に構成され、これら連結部材４２〜４９は、各縫い目部内に旗本体４１の周縁が縫合されることにより配設されている。
なお、本実施形態においては、図２に示すように、連結部材４２〜４４が旗本体４１の上部に、連結部材４５〜４９が旗本体４１の側方部に配設されている。
【００１９】
そして、上記のように構成された幟旗Ｂの旗部材４０は、図２（ａ）に示すように、その各連結部材４２〜４９により形成されるリング内に支持部材５０が挿通されて支持されている。
【００２０】
つぎに、上記のように構成された幟旗Ｂに、旗用錘Ａがいかに取り付けられているかについて説明する。
まず、旗用錘Ａは、図１に示すように、一対の挟持部材１０、２０の間に連結部材４９の縫い目部４９ａを挟み込んだ状態で、タッピングネジ３０により各挟持部材１０、２０を結合することにより取り付けられる。
【００２１】
すなわち、タッピングネジ３０は、挟持部材１０の受け入れ孔１３から導入され、この受け入れ孔１３と連通している挿通孔１２を介して連結部材４９の取り付け孔４９ｂを貫通し、その先端部は、挟持部材２０のねじ込み２２内にねじ込まれてネジ止めがなされる。
【００２２】
ここで、挟持部材２０の挿通孔２２内には、タッピングネジ３０をねじ込むためのネジ溝が形成されていないが、タッピングネジ３０はステンレス製で、挟持部材２０は真鍮製であるため、タッピングネジ３０に形成されたネジ山に沿って挟持部材２０の挿通孔２２内にネジ溝が刻設されながら、タッピングネジ３０の先端部が挟持部材２０の挿通孔２２内部にねじ込まれる。
【００２３】
以上のように、旗部材４０の連結部材４９に取り付けられた挟持部材１０、２０及び結合部材３０により構成される旗用錘Ａによれば、以下のような効果を得ることができる。
【００２４】
すなわち、本実施形態における旗用錘Ａは、挟持部材１０、２０のそれぞれの挟持面１１、２１が連結部材４９の縫い目部４９ａと面接触した状態でタッピングネジ３０により結合されているため、旗部材４０に対する挟持部材１０、２０の接触面積が充分広くなって、旗用錘Ａが旗部材４０に安定した状態で確実に取り付けられる。
また、本発明の旗用錘Ａによれば、各挟持部材及び結合部材により構成されているため、構成が単純で製造コストを安価に抑えることができるという効果がある。
【００２５】
さらにまた、上述したように、旗部材４０の周縁に接着材が塗布されて保護膜が形成されているため、強風時に旗部材４０がなびくことによる、旗部材４０の周縁のほつれ等が起きることを防ぎ、旗部材４０の寿命を約２倍長持ちさせることができ、これにより経費の削減をはかることができるという効果がある。
【００２６】
なお、本実施形態においては、旗部材４０が、縦、横の寸法がそれぞれ１８０ｃｍ、６０ｃｍで、旗用錘Ａの総重量が６０ｇであり、強風時においても旗部材
４０が支持部材５０に沿ってずり上がったり、旗部材４０が支持部材５０に絡みつくことを防ぎ、旗部材４０が広告機能を十分に発揮することができる。
【００２７】
以上、本発明の旗用錘Ａ及びこの旗用錘Ａを取り付けた幟旗Ｂの一実施形態について詳細に説明してきたが、本発明の旗用錘Ａ及びこの旗用錘Ａを取り付けた幟旗Ｂは、請求項に記載の範囲内で種々に変更可能であって、例えば、旗用錘Ａの重量は、旗部材の大きさに合わせて、広告機能を発揮させるのに十分な重さがあれば、どのような寸法及び形状に形成されていても構わない。
また、上記実施形態においては、旗用錘は旗部材の連結部材に取り付けられていたが、旗本体に直接取り付けることも可能であり、また、この旗用錘を取り付ける位置も旗部材のどの位置に取り付けても構わない。
さらにまた、上記旗用錘を旗部材に複数個取り付けることも可能であり、また、この旗用錘を取り付けた幟旗の形状及び寸法は、どのように形成されていても構わない。
【００２８】
【発明の効果】
請求項１の発明によれば、旗用錘の挟持部材の挟持面で旗部材が挟み込まれた状態で、すなわち、旗部材が各挟持部材の挟持面に面接触した状態で、結合部材により結合される。
この結果、旗部材に対する挟持部材の接触面積が充分広くなって、旗用錘が旗部材に安定した状態で確実に取り付けられる。
また、この旗用錘は、各挟持部材及び結合部材により構成されているため、構成が単純で製造コストを安価に抑えることができるという効果がある。
【００２９】
請求項２の発明によれば、旗部材の周縁に接着材が塗布され、旗部材の周縁が接着剤により補強される。
この結果、旗部材の周縁に接着剤が塗布されて保護膜が形成されるため、強風時に旗部材がなびくことによる、旗部材の周縁のほつれ等を防ぎ、旗部材の寿命を長持ちさせることができ、これにより経費の削減をはかることができるという効果がある。
【図面の簡単な説明】
【図１】本発明の旗用錘の断面を示す断面図である。
【図２】本発明の旗用錘を取り付けた幟旗を示す正面図である。
【図３】本発明の旗の連結部材を示す正面図及び平面図である。
【図４】従来の幟旗を示す正面図である。
【符号の説明】
１０　挟持部材
１１　挟持面
１２　挿通孔
１３　受け入れ孔
２０　挟持部材
２１　挟持面
２２　ねじ込み孔
３０　結合部材
【図１】
2004045532.tif 000003
【図２】
2004045532.tif 000004
【図３】
2004045532.tif 000005
【図４】
2004045532.tif 000006